(57)【要約】【課題】  包装用仕切が該包装用箱の伸縮に追従して包装用仕切を包装用箱と一体に伸縮自在にする。【解決手段】  包装用箱本体１２ｃ内に該包装用仕切１０を包装用箱１２の底片１２ｅから遊離し、かつ、蓋片１２ｄ側が蓋片１２ｄに干渉しないように内装されている。【選択図】      図５
0003115027.tif 000002
【実用新案登録請求の範囲】
【請求項１】
包装用仕切を備えた包装用箱において、
下向のスリット１０ａを備えた横仕切板１０Ａと上向のスリット１０ｂを備え、かつ、両側に折り目１０ｃを介して糊代部１０ｄを有する縦仕切板１０Ｂからなり、
横仕切板１０Ａのスリット１０ａと縦仕切板１０Ｂのスリット１０ｂを互いに差し込むことにより、折り畳み自在な展開状態において井桁状を呈する包装用仕切１０が設けられ、
一方、対向する一方の一組の側片１２ａ、１２ａと対向する他方の一組の側片１２ｂ、１２ｂからなる方形の包装用箱本体１２ｃが設けられ、
該包装用箱本体１２ｃの前記の二組の側板１２ａ、１２ａ、１２ｂ、１２ｂの開口端と底側端に二枚又は四枚からなる蓋片１２ｄおよび底片１２ｅがそれぞれ折り畳み自在に連設され、
該包装用箱本体１２ｃの四隅に折り目１２ｆが形成された包装用箱１２が設けられ、
蓋片１２ｄおよび底片１２ｅが二組の側板１２ａ、１２ａ、１２ｂ、１２ｂに対して直角に組み立てられた状態において、該包装用箱本体１２ｃ内に該包装用仕切１０がその底片１２ｅから遊離し、かつ、蓋片１２ｄ側が蓋片１２ｄに干渉しないように内装され、
該糊代部１０ｄが対向する一方の一組の側片１２ａ、１２ａと平行に折曲させて貼付され、該包装用仕切１０が該包装用箱１２の伸縮に追従して包装用仕切１０を包装用箱１２と一体に伸縮自在に設けてなることを特徴とする包装用仕切を備えた包装用箱。
【請求項２】
該糊代部１０ｄの外側に基紙１４が貼付され、該包装用仕切１０が基紙１４を介して一方の一組の側片１２ａ、１２ａに貼付されてなることを特徴とする請求項１記載の包装用仕切を備えた包装用箱。
【請求項３】
展開状態において、折り目２０ｃを介して横片２０ａと縦片２０ｂを交互に直角方向に伸張させることにより、平面から見てコの字状の升目２０ｄが多数形成された伸縮自在な包装用仕切２０が設けられ、
一方、対向する一方の一組の側片１２ａ、１２ａと対向する他方の一組の側片１２ｂ、１２ｂからなる方形の包装用箱本体１２ｃが設けられ、
該包装用箱本体１２ｃの前記の二組の側板１２ａ、１２ａ、１２ｂ、１２ｂの開口端と底側端に二枚又は四枚からなる蓋片１２ｄおよび底片１２ｅがそれぞれ折り畳み自在に連設され、
該包装用箱本体１２ｃの四隅に折り目１２ｆが形成され、
該包装用箱本体１２ｃの他方の一組の側板１２ｂ、１２ｂの開口端の中央部から底側端にかけて第２の折り目１２ｇが形成された包装用箱１２が設けられ、
蓋片１２ｄおよび底片１２ｅが二組の側板１２ａ、１２ａ、１２ｂ、１２ｂに対して直角に組み立てられた状態において、該包装用箱本体１２ｃ内に該包装用仕切２０がその底片１２ｅから遊離し、かつ、蓋片１２ｄ側が蓋片１２ｄに干渉しないように内装されるとともに、
該横片２０ａが対向する一方の一組の側片１２ａ、１２ａに貼付され、折り目２０ｃを介して横片２０ａ間方向に包装用仕切２０が伸縮自在に設けられ、
該包装用仕切２０が該包装用箱１２の伸縮に追従して包装用仕切２０を包装用箱１２と一体に伸縮自在に設けてなることを特徴とする包装用仕切を備えた包装用箱。
【請求項４】
該横片２０ａの外側に基紙２４が貼付され、該包装用仕切２０が基紙２４を介して一方の一組の側片１２ａ、１２ａに貼付されてなることを特徴とする請求項３記載の包装用仕切を備えた包装用箱。
【請求項５】
該包装用仕切１０、２０の高さｈが被包装物Ｗの高さＨに比較して低く、包装用箱１２の底片１２ｅが側板１２ａ、１２ａ、１２ｂ、１２ｂに対して直角方向に組み立てられた状態において、該包装用箱本体１２ｃ内に該包装用仕切１０、２０が底片１２ｅから遊離して設けられ、かつ、被包装物Ｗを包装用箱１２の底片１２ｅ上に載置したとき、該包装用仕切１０、２０の底側の位置が被包装物Ｗの底より上方であり、該包装用箱１２の開口側の上方の位置が被包装物Ｗの頂部より低く設定されてなることを特徴とする請求項１、２、３又は４記載の包装用仕切を備えた包装用箱。
【請求項６】
包装用箱１２の底片１２ｅが側板１２ａ、１２ａ、１２ｂ、１２ｂに対して直角方向に組み立てられた状態において、
該包装用箱本体１２ｃ内に該包装用仕切１０、２０が底片１２ｅから遊離して設けられ、かつ、被包装物Ｗを包装用箱１２の底片１２ｅ上に載置したとき、該包装用仕切１０、２０の底側の位置が被包装物Ｗの底より上方であり、該包装用箱１２の開口側の上方の位置が被包装物Ｗの頂部より高く設定されてなることを特徴とする請求項１、２、３又は４記載の包装用仕切を備えた包装用箱。
【考案の詳細な説明】
【技術分野】
【０００１】
この考案は、物品の包装を行う仕切を備えた主として業務用の折りたたみ自在な包装用箱に関する。
【背景技術】
【０００２】
この種の考案として本考案者は、先に実開昭５３−１３６９６９号公報に記載された考案をした（特許文献１を参照）。
この考案は、多数枚の仕切枠用基紙が並列かつすこしずつずらし、はみだして配置され、これらの仕切枠用基紙間にコア用紙片がコ字状に連続して貼付されることにより、伸縮自在な仕切枠が設けられ、一方、方形状の折り畳み箱の内側の一側面に仕切枠の一側の仕切枠用基紙が貼付され、他側の仕切枠用基紙は折り畳み箱の内側に貼付されることなく、自由状態に設けられてなるものであった。
【０００３】
さらに、実開昭６３−７６６２４号公報に記載されて考案が知られている（特許文献２を参照）。
この考案は、いわゆる組仕切と称されているものを箱本体内に挿入して使用に供することが予定されたものである。
この考案の仕切は縦片と横片のほか箱本体の四隅に臨ませて縦片と平行な延長片と係止片からなるものであり、延長片と係止片を箱本体の四隅に臨ませてあるものの、箱本体に挿入された仕切の安定性を図ることが意図されているに止まり
、箱本体と仕切を一体に伸縮自在とすることは意図されてはいなかった。
【特許文献１】実開昭５３−１３６９６９号公報
【特許文献１】実開昭６３−  ７６６２４号公報
【考案の開示】
【考案が解決しようとする課題】
【０００４】
前者の背景技術の解決しようとする問題点は、仕切とともに箱本体を二つ折りでき、非使用時に嵩張ることのないようにできる点で評価できるものの、仕切枠の構造が前記したように、多数枚の仕切枠用基紙が並列かつ、すこしずつずらし、はみだして配置され、これらの仕切枠用基紙間にコア用紙片がコ字状に連続して貼付されたものであるから、仕切枠を生産するのに煩雑であった。
【０００５】
また、前記した仕切枠の他側の仕切枠用基紙が折り畳み箱の内側に貼付されることなく、自由状態に設けられてなるものであったから、仕切枠の全体が常時、折り畳み箱の一側に縮小しようとする性質を回避できなかった。
【０００６】
したがって、仕切枠の升目内に被包装物を収容したとき、他側の仕切枠用基紙は折り畳み箱の内側に貼付されることなく、自由状態に設けられているから、折り畳み箱の他側に近い仕切枠の升目ほど妄動し易く、安定性に欠け、結局、被包装物が仕切枠内で妄動するおそれがあり、被包装物の保護機能が劣る点である。
【０００７】
後者の背景技術の解決しようとする問題点は、箱本体と包装用仕切を一体に伸縮自在とすることができない点である。
【０００８】
この考案の目的は、包装用仕切を箱本体とともに、伸縮自在とすることにより、使い勝手の利便性を図ることと併せ、生産するのに煩雑さが少ない構造の折り畳み自在な仕切を利用しつつ、被包装物の保護機能に優れた包装用箱を提供することにある。
【課題を解決するための手段】
【０００９】
上記の目的を達成するため、第１の課題解決手段は、
包装用仕切を備えた包装用箱において、
下向のスリットを備えた横仕切板と上向のスリットを備え、かつ、両側に折り目を介して糊代部を有する縦仕切板からなり、横仕切板のスリットと縦仕切板のスリットを互いに差し込むことにより折り畳み自在な展開状態において井桁状を呈する包装用仕切が設けられ、一方、対向する一方の一組の側片と対向する他方の一組の側片からなる方形の包装用箱本体が設けられ、該包装用箱本体の前記の二組の側板の開口端と底側端に二枚又は四枚からなる蓋片および底片がそれぞれ折り畳み自在に連設され、該包装用箱本体の四隅に折り目が形成された包装用箱が設けられ、蓋片および底片が二組の側板に対して直角に組み立てられた状態において、該包装用箱本体内に該包装用仕切がその底片から遊離し、かつ、蓋片側が蓋片に干渉しないように内装され、該糊代部が対向する一方の一組の側片と平行に折曲させて貼付され、該包装用仕切が該包装用箱の伸縮に追従して包装用仕切を包装用箱と一体に伸縮自在に設けてなることを特徴とするものである。
【００１０】
上記の目的を達成するため、第２の課題解決手段は、第１の課題解決手段において、
該糊代部の外側に基紙が貼付され、該包装用仕切が基紙を介して一方の一組の側片に貼付されてなることを特徴とするものである。
【００１１】
上記の目的を達成するため、第３の課題解決手段は、
展開状態において、折り目を介して横片と縦片を交互に直角方向に伸張させることにより、平面から見てコの字状の升目が多数形成された伸縮自在な包装用仕切が設けられ、一方、対向する一方の一組の側片と対向する他方の一組の側片からなる方形の包装用箱本体が設けられ、該包装用箱本体の前記の二組の側板の開口端と底側端に二枚又は四枚からなる蓋片および底片がそれぞれ折り畳み自在に連設され、該包装用箱本体の四隅に折り目が形成され、該包装用箱本体の他方の一組の側板の開口端の中央部から底側端にかけて第２の折り目が形成された包装用箱が設けられ、蓋片および底片が二組の側板に対して直角に組み立てられた状態において、該包装用箱本体内に該包装用仕切がその底片から遊離し、かつ、蓋片側が蓋片に干渉しないように内装されるとともに、該横片が対向する一方の一組の側片に貼付され、折り目を介して横片間方向に包装用仕切が伸縮自在に設けられ、該包装用仕切が該包装用箱の伸縮に追従して包装用仕切を包装用箱と一体に伸縮自在に設けてなることを特徴とするものである。
【００１２】
上記の目的を達成するため、第４の課題解決手段は、第３の課題解決手段において、
該横片の外側に基紙が貼付され、該包装用仕切が基紙を介して一方の一組の側片に貼付されてなることを特徴とするものである。
【００１３】
上記の目的を達成するため、第５の課題解決手段は、第１、２、３又は４の課題解決手段において、
該包装用仕切の高さが被包装物Ｗの高さに比較して低く、包装用箱の底片が側板に対して直角方向に組み立てられた状態において、該包装用箱本体内に該包装用仕切が底片から遊離して設けられ、かつ、被包装物を包装用箱の底片上に載置したとき、該包装用仕切の底側の位置が被包装物の底より上方であり、該包装用箱の開口側の上方の位置が被包装物の頂部より低く設定されてなることを特徴とするものである。
【００１４】
上記の目的を達成するため、第６の課題解決手段は、第１、２、３又は４の課題解決手段において、
包装用箱の底片が側板に対して直角方向に組み立てられた状態において、
該包装用箱本体内に該包装用仕切が底片から遊離して設けられ、かつ、被包装物を包装用箱の底片上に載置したとき、該包装用仕切の底側の位置が被包装物の底より上方であり、該包装用箱の開口側の上方の位置が被包装物の頂部より高く設定されてなることを特徴とするものである。
【考案の効果】
【００１５】
第１の課題解決手段による考案は、上記の構成であるから、以下の作用効果を奏する。
この考案による包装用箱は、該包装用箱本体内に該包装用仕切がその底片から遊離し、かつ、蓋片側が蓋片に干渉しないように内装され、該糊代部が対向する一方の一組の側片と平行に折曲させて貼付されてなるから、いわゆる組仕切を採用するものの、包装用箱の折り畳みに追従させて包装用仕切を確実に伸縮できる。
そして、伸縮作業は、手軽にできるから、包装作業の合理化に寄与できる。
また、包装用仕切の構造は、背景技術の仕切と比較して構造が複雑化しないし、包装用箱と包装用仕切の組み合わせも煩雑さがない。
【００１６】
第２の課題解決手段による考案は、上記の構成であるから、第１の課題解決手段が奏する作用効果のほか、以下の作用効果を奏する。
該糊代部の外側に基紙が貼付されているから、一方の一組の側片に糊代部毎貼付する手間を省略できるから、生産性の合理化に寄与できる。
【００１７】
第３の課題解決手段による考案は、上記の構成であるから、以下の作用効果を奏する。
折り目を介して横片間方向に伸縮自在に設けられた包装用仕切が第２の折り目を設けた包装用箱内に内装されているから、蓋片と底片を二組の側板と共通に水平方向に設定することにより、横仕切板と縦仕切板が外れ易く、折り畳み時に階段状にずれて折り畳まれる背景技術の組仕切の組み合わせによる包装用箱と異なり、包装用箱を仕切とともに、第２の折り目を基準にして扁平に折り畳むことができるから、横片と縦片が外れないことはもとより、包装用仕切を構成する横片と縦片が互いにずれることなく、かつ、確実に仕切群を縦列状態に圧縮できる。
したがって、背景技術の組仕切のように折り畳み時に仕切が復元するおそれが少ないから、折り畳み時の包装用箱の取扱いが楽である。
【００１８】
第４の課題解決手段による考案は、上記の構成であるから、第３の課題解決手段が奏する作用効果のほか、以下の作用効果を奏する。
横片の外側に基紙が貼付され、該包装用仕切が基紙を介して一方の一組の側片に貼付されてなるから、前記した第２の課題解決手段が奏する効果を共有できる
。
【００１９】
第５の課題解決手段による考案は、上記の構成であるから、第１、２、３又は第４の課題解決手段が奏する作用効果のほか、以下の作用効果を奏する。
被包装物の高さに対して仕切は低いものであるから、仕切の材料の節約に寄与できる。
【００２０】
第６の課題解決手段による考案は、上記の構成であるから、第１、２、３又は第４の課題解決手段が奏する作用効果のほか、以下の作用効果を奏する。
包装用仕切の底側の位置が被包装物の底より上方であり、該包装用箱の開口側の上方の位置が被包装物の頂部より高く設定されてなるものであるから、第５の課題解決手段による仕切に比較して材料が増加するものの、背景技術の仕切に比較して材料の節約に寄与できる。
【考案を実施するための最良の形態】
【００２１】
包装用仕切が該包装用箱の伸縮に追従して包装用仕切を包装用箱と一体に伸縮自在に設けるという目的を、包装用箱本体内に該包装用仕切を包装用箱の底片から遊離し、かつ、蓋片側が蓋片に干渉しないように内装させることにより実現した。
【実施例１】
【００２２】
以下この考案の実施例１を図１ないし図５を参照して説明する。
この考案の実施例１は、折りたたみ自在ないわゆる当業界で組仕切と称されている包装用仕切１０と段ボール箱のように折り畳み自在な包装用箱１２の組み合わせによるものである。
【００２３】
図１、２は、包装用仕切１０を構成する横仕切板１０Ａと縦仕切板１０Ｂのそれぞれの正面図である。
包装用仕切１０は、下向のスリット１０ａを備えた横仕切板１０Ａと上向のスリット１０ｂを備え、かつ、両側に折り目１０ｃを介して糊代部１０ｄを有する縦仕切板１０Ｂから構成される。
縦仕切板１０Ｂには、従来の組仕切に存在しない糊代部１０ｄが折り目１０ｃを介して両側に形成されている。
【００２４】
詳細については追って説明するが、この糊代部１０ｄを介して包装用仕切１０が包装用箱本体１２ｃの側板１２ａ１２ａの内側に貼付されものである。
横仕切板１０Ａのスリット１０ａの数は知られるように縦仕切板１０Ｂの数に応じて増減される。
【００２５】
この実施例では、縦仕切板１０Ｂに４枚の横仕切板１０Ａを差し込むことのできるように、上向のスリット１０ｂが４本形成されている。
【００２６】
横仕切板１０Ａのスリット１０ａと縦仕切板１０Ｂのスリット１０ｂを互いに差し込むことにより折り、升目１０ｅを備えた畳み自在な展開状態において井桁状を呈する包装用仕切１０が設けられている。
【００２７】
仕切板１０Ａ、１０Ｂの材料は一般的にクラフト紙などの薄いものが採用されるが、被包装物Ｗの種類により、段ボールのように肉厚の材料も採用されることもある。
【００２８】
この明細書において、「下向のスリット１０ａを備えた横仕切板１０Ａ」および「上向のスリット１０ｂを備えた縦仕切板１０Ｂ」の記載をしたが、説明の便宜上のことである。
【００２９】
因みに、用語「下向のスリット１０ａ」および「上向のスリット１０ｂ」は、
「横仕切板１０Ａ」および「縦仕切板１０Ｂ」を天地反対に見ることにより、スリットの上下は反対になる。
また、用語「横仕切板１０Ａ」および「縦仕切板１０Ｂ」は、図面上のことであり、包装用箱１０を９０度回転させることにより、縦横の向きは反対になることから、説明の便宜上のことであることを容易に理解されるであろう。
【００３０】
包装用箱１２の構成について説明すると、対向する一方の一組の側片１２ａ、１２ａと対向する他方の一組の側片１２ｂ、１２ｂからなる方形の包装用箱本体１２ｃが設けられている（図３、図４、図５を参照）。
該包装用箱本体１２ｃの前記の二組の側板１２ａ、１２ａ、１２ｂ、１２ｂの開口端と底側端に二枚又は四枚からなる蓋片１２ｄおよび底片１２ｅがそれぞれ折り畳み自在に連設され、該包装用箱本体１２ｃの四隅に折り目１２ｆが形成された包装用箱１２が設けられている（図５を参照）。
【００３１】
そこで、前記の包装用仕切１０と包装用箱１２の組み合わせについて説明する
。
蓋片１２ｄおよび底片１２ｅが二組の側板１２ａ、１２ａ、１２ｂ、１２ｂに対して直角方向に組み立てられた状態において、該包装用箱本体１２ｃ内に該包装用仕切１０が包装用箱１２の底片１２ｅから遊離し、かつ、蓋片１２ｄ側が蓋片１２ｄに干渉しないように内装されている。
【００３２】
包装用仕切１０の糊代部１０ｄが対向する一方の一組の側片１２ａ、１２ａと平行に折曲して貼付され、包装用仕切１０が該包装用箱１２の伸縮に追従して包装用仕切１０を包装用箱１２と一体に伸縮自在に設けられている（図３を参照）。
【００３３】
かくして、包装用仕切１０は包装用箱１２の蓋片１２ｄおよび底片１２ｅに干渉されることなく、糊代部１０ｄにより包装用箱１２の内側に連結された状態となる。
したがって、包装用仕切１０は包装用箱１２の伸縮に追従して包装用箱１２と一体に伸縮できるものとなる（図５を参照）。
【００３４】
図４に示され例は前記の実施例を更に二次加工したものである。
縦仕切板１０Ｂの糊代部１０ｄの外側に基紙１４が貼付され、該包装用仕切１０が基紙１４を介して一方の一組の側片１２ａ、１２ａに貼付されてなるものである。
該糊代部１０ｄの外側がこの基紙１４に貼付されることにより、仕切１０の展開時における升目１０ｅの形態の維持の確実性を図ることを意図されている。
予め、基紙１４が貼付された仕切１０を一方の側板１２ａ、１２ａに貼付する場合、仕切１０を装着し易いという利便性を有する。
この包装用仕切１０と包装用箱１２の組み合わせはそっくり前記の例と同一である。
【００３５】
この実施例１の包装用箱１２の伸縮について説明する。
該包装用箱を保管や輸送に備え折り畳む場合。
対向する一方の一組の側板１２ａ、１２ａを該蓋片１２ｄおよび該底片１２ｅとともに折り目１２ｆを介して扁平にする。
併せて対向する他方の一組の側板１２ｂ、１２ｂを該蓋片１２ｄおよび該底片１２ｅとともに仕切１０を構成する横仕切板１０Ａと縦仕切板１０Ｂのそれぞれのスリット１０ａ、１０ｂを介して板状に重ねて包装用仕切１０を側板１２ａ、１２ｂ間に圧縮して該包装用箱を板状とする。
【００３６】
該包装用箱を使用に備えて展開する場合。
一方、該包装用箱を使用に備え、板状である該包装用箱の二組の側板１２ａ、１２ｂを該蓋片１２ｄおよび該底片１２ｅとともに折り目１２ｆを介してそれぞれ直角に伸張させることにより、二組の側板１２ａ、１２ｂの伸張に追従して仕切１０を展開させることにより、二組の側板１２ａ、１２ｂ間に平面から見て多数の方形の升目１０ｅを設ける。
【実施例２】
【００３７】
この実施例は、包装用仕切１０の材料を節約することに寄与する例といえる。
図６を参照して、伸縮自在な包装用仕切１０の高さｈが被包装物Ｗたとえば、円筒状の殺虫剤容器の高さＨに比較して低く、包装用箱１２の底片１２ｅが側片１２ａ、１２ｂに対して直角方向に組立てられた状態において、該包装用箱本体１２ｃ内に該包装用仕切り１０がその底片１２ｅから遊離して設けられ、かつ、被包装物Ｗを該包装用箱１２の底片１２ｅ上に載置したとき、該包装用仕切り１０の底側の位置が被包装物Ｗの底より上方であり、該包装用箱１２の開口側の上方の位置が被包装物Ｗの頂部より低く設定されてなるものである。
その他の構成は、そっくり実施例１と共通である。
【００３８】
したがって、被包装物Ｗの中央部つまり胴部分が方形の仕切１０により囲繞されることになる。
【００３９】
先の例では、該包装用箱本体１２ｃ内に該包装用仕切２０が底片１２ｅから遊離して設けられ、かつ、被包装物Ｗを包装用箱１２の底片１２ｅ上に載置したとき、該包装用仕切１０、２０、３０の底側の位置が被包装物Ｗの底より上方であり、該包装用箱１２の開口側の上方の位置が被包装物Ｗの頂部より低く設定されたが、図示を省略してあるが、被包装物Ｗの頂部より高く設定されることも予定されている。
【実施例３】
【００４０】
この実施例の包装用仕切２０と包装用箱１２について説明する。
展開状態において、折り目２０ｃを介して横片２０ａと縦片２０ｂを交互に直角方向に伸張させることにより、平面から見てコの字状の升目２０ｄが多数形成された伸縮自在な包装用仕切２０が設けられている。
【００４１】
図７ないし図９に示される例では、伸縮自在な包装用仕切２０は二枚の基紙２４に貼付して設けられている。
図７に示される例では、仕切２０が一段であり、図８の場合は、四段の仕切２０が縦列されている例である。
図９の場合は、図８に示される四段の仕切２０が両側の側片１２ｂ、１２ｂに以下に説明する第２の折り目ｇを備えた包装用箱１２に内装され、一方の側片１２ａ、１２ａ寄りの仕切２０の基紙２４がそれぞれ側片１２ａ、１２ａに貼付されている例である。
【００４２】
折り目２０ｃを介して横片２０ａ間方向に包装用仕切２０が伸縮自在に設けられた例であるが、この考案において、この実施例に制約されるものではなく、その機能を備える形態のものは当業界で知られているものを採用すればよい。
【００４３】
一方、対向する一方の一組の側片１２ａ、１２ａと対向する他方の一組の側片１２ｂ、１２ｂからなる方形の包装用箱本体１２ｃが設けられ、該包装用箱本体１２ｃの前記の二組の側板１２ａ、１２ａ、１２ｂ、１２ｂの開口端と底側端に二枚又は四枚からなる蓋片１２ｄおよび底片１２ｅがそれぞれ折り畳み自在に連設され、該包装用箱本体１２ｃの四隅に折り目１２ｆが形成されていることは実施例１の包装用箱１２つまり公知の箱と変化しない（図９を参照）。
【００４４】
しかし、この例では、包装用箱本体１２ｃの二組の側板１２ａ、１２ａ、１２ｂ、１２ｂの中央部の開口端から底側端にかけて第２の折り目１２ｇが形成された包装用箱１２が設けられている点に特徴がある。
【００４５】
そこで、前記の包装用仕切２０と包装用箱１２の組み合わせについて説明する
。
実施例１と基本的に変化しない。
蓋片１２ｄおよび底片１２ｅが二組の側板１２ａ、１２ａ、１２ｂ、１２ｂに対して直角に組み立てられた状態において、該包装用箱本体１２ｃ内に該包装用仕切２０がその底片１２ｅから遊離し、かつ、蓋片１２ｄ側が蓋片１２ｄに干渉しないように内装されとともに（図５を参照）、該横片２０ａが対向する一方の一組の側片１２ａ、１２ａに貼付され、折り目２０ｃを介して横片２０ａ間方向に包装用仕切２０が伸縮自在に設けられ、該包装用仕切２０が該包装用箱１２の伸縮に追従して包装用仕切２０を包装用箱１２と一体に伸縮自在に設けられている（図９、１０図を参照）。
【実施例４】
【００４６】
この実施例は、実施例２と本質的な相違はない。
図面上省略してあるが、前記した第２の折り目１２ｇを備えた包装用箱２０と包装用仕切２０の組み合わせによる例で、その仕切２０が実施例２と共通である。
図１１を参照して、伸縮自在な包装用仕切２０の高さｈが被包装物Ｗの高さＨに比較して低く、底片１２ｅが水平方向に組立てられた状態において、該包装用箱本体１２ｃ内に該包装用仕切り１０が底片１２ｅから遊離して設けられ、かつ、被包装物Ｗを該包装用箱１２の底片１２ｅ上に載置したとき、該包装用仕切り１０の底側の位置が被包装物Ｗの底より上方であり、該包装用箱１２の開口側の上方の位置が被包装物Ｗの頂部より低く設定されてなるものである。
【００４７】
先の例では、該包装用箱本体１２ｃ内に該包装用仕切２０が底片１２ｅから遊離して設けられ、かつ、被包装物Ｗを包装用箱１２の底片１２ｅ上に載置したとき、該包装用仕切２０の底側の位置が被包装物Ｗの底より上方であり、該包装用箱１２の開口側の上方の位置が被包装物Ｗの頂部より低く設定されたが、図示を省略してあるが、被包装物Ｗの頂部より高く設定されることも予定されている。
【図面の簡単な説明】
【００４８】
【図１】この考案の実施の形態に係る包装用仕切の横仕切板の正面図である（実施例１）。
【図２】この考案の実施の形態に係る包装用仕切の縦仕切板の正面図である（実施例１）。
【図３】この考案の実施の形態に係る包装用箱と包装用仕切を組み合わせた包装用箱の平面図である（実施例１）。
【図４】この考案の実施の形態に係る図３に示す包装用仕切の二次の実施例による平面図である（実施例１の２）。
【図５】この考案の実施の形態に係る包装用箱の折り畳んだ状態を示す斜視図である（実施例１）。
【図６】この考案の他の実施の形態に係る要部の断面図である（実施例２）。
【図７】この考案の他の実施の形態に係る包装用仕切を平面から見た要部の説明図である（実施例３）。
【図８】この考案の他の実施の形態に係る包装用仕切の斜視図である（実施例３）。
【図９】この考案の他の実施の形態に係る包装用箱と包装用仕切を組み合わせた包装用箱の平面図である（実施例３）。
【図１０】この考案の他の実施の形態に係る包装用箱の折り畳んだ状態を示す平面図である（実施例３）。
【図１１】この考案の他の実施の形態に係る包装用箱の要部の断面図である（実施例４）。
【符号の説明】
【００４９】
１０  包装用仕切
１０Ａ  横仕切板
１０Ｂ  縦仕切板
１０ａ  下向のスリット
１０ｂ  上向のスリット
１０ｃ  縦仕切の板折り目
１０ｄ  糊代部
１２  包装用箱
１２ａ  一方の側片
１２ｂ  他方の側片
１２ｃ  包装用箱本体
１２ｄ  蓋片
１２ｅ  底片
１２ｆ  包装用箱の折り目
１２ｇ  包装用箱の第２の折り目
１４  基紙
２０  包装用仕切
２０ａ  横片
２０ｂ  縦片
２０ｃ  包装用仕切の折り目
２０ｄ  升目
２４  基紙
Ｗ  被包装物
Ｈ  被包装物の高さ
ｈ  包装用仕切の高さ
【図１】
0003115027.tif 000003
【図２】
0003115027.tif 000004
【図３】
0003115027.tif 000005
【図４】
0003115027.tif 000006
【図５】
0003115027.tif 000007
【図６】
0003115027.tif 000008
【図７】
0003115027.tif 000009
【図８】
0003115027.tif 000010
【図９】
0003115027.tif 000011
【図１０】
0003115027.tif 000012
【図１１】
0003115027.tif 000013